(57)【特許請求の範囲】
【請求項１】
少なくとも、底板、左右側板、天板、後板を有する組立式箱体において、左右側板の前後部を折り曲げて形成したダブル構造の補強部を形成し、この左右側板における補強部の上下に複数の係止ピンを有する取付金具を固設し、天板と底板のコーナー部には後部は長い立ち上げ片、前部は短い立ち上げ片を設け、長い立ち上げ片には上下２ヶ所の孔を、短い立ち上げ片には１ヶ所の孔を穿設した立ち上げ片を設け、この各孔は前記左右側板の補強部に固設した取付金具の係止ピンと係合する孔として、さらに左右側板に係合孔を穿設し、該係合孔と係合する切り起こし片を底板、天板に形成し、この補強部の取付金具に設けた係止ピンと天板と底板のコーナー部に固設した長短の立ち上げ片に穿設した孔とを係合し、同時に前記係合孔と切り起こし片を係合するようにして、若干の移動でワンタッチで係合組み立てができるようにしたことを特徴とする組立式箱体。
【発明の詳細な説明】
【０００１】
【発明の属する技術分野】
本発明は、収納庫、保管庫、キャビネット等の箱状本体においてネジ止め箇所を必要としなく、強度を維持でき、だれにでも簡単に組み立てられる組立式箱体に関するものである。
【０００２】
【従来の技術】
従来の技術として、庫本体の前面に出入口が開口する四角形状のドア枠を有し、このドア枠に出入口を開閉するドアが設けてある組立式の収納庫であって、ドア枠は、上下一対の上下枠体と、両枠体を連結する左右一対の側枠とからなり、上下枠体は、それぞれ水平の主枠と、各主枠の左右端に直交状態で固定されて、上下に対向する左右一対ずつの嵌合枠とからなり、上下に対向する嵌合枠に左右の側枠をそれぞれ嵌合連続してドア枠が構成されている組立式の収納庫（特開平９−１２５７２０号公報参照）が存在している。
【０００３】
【発明が解決しようとする課題】
しかしながら、前記従来技術には、ドア枠を適正に組むことができ、しかもドア枠を上下一対の上枠体及び下枠体と左右一対の側枠の四者に分けて構成し、ドア枠を梱包するのにスペースを小さくできるものであるが、これはあくまでもドア枠の組み立てで、上下枠体に溶接した嵌合枠と左右側枠を嵌係合して、係合孔と係合する突起で係止するものであるが、係止が１点であるためにねじれ、よじれ現象（例えば、床面の傾斜、あるいは移動時の一方向からの押圧によるねじれ、よじれ）が発生し、扉板の開閉に支障をきたし、施錠が困難になる等の問題があった。
【０００４】
本発明は、このような事情に鑑み、前記従来技術の欠点を解消し、簡単な構成により解決したものである。それは、両側板の補強部にスポット溶接して固設した上下に複数の係止ピンを有する取付金具と、天板、底板のコーナー部に固設した前記取付金具の係止ピンに係合できるように穿設した孔を有する立ち上げ片（例えば、図１、図４に示すような長短２本の立ち上げ片、あるいは大きさによっては長い１本の立ち上げ片）とを若干ずらして挿入して前後に移動して立ち上げ片の孔と取付金具の係止ピンを係合させて組み立てる組立式箱体を提供することを目的とするものである。
【０００５】
【課題を解決するための手段】
本発明は、前記課題の解決を図ったもので、次のような技術手段を採用した。
請求項１記載の発明においては、少なくとも、底板、左右側板、天板、後板を有する組立式箱体において、左右側板の前後部を折り曲げて形成したダブル構造の補強部を形成し、この左右側板における補強部の上下に複数の係止ピンを有する取付金具を固設し、天板と底板のコーナー部には後部は長い立ち上げ片、前部は短い立ち上げ片を設け、長い立ち上げ片には上下２ヶ所の孔を、短い立ち上げ片には１ヶ所の孔を穿設した立ち上げ片を設け、この各孔は前記左右側板の補強部に固設した取付金具の係止ピンと係合する孔として、さらに左右側板に係合孔を穿設し、該係合孔と係合する切り起こし片を底板、天板に形成し、この補強部の取付金具に設けた係止ピンと天板と底板のコーナー部に固設した長短の立ち上げ片に穿設した孔とを係合し、同時に前記係合孔と切り起こし片を係合するようにして、若干の移動でワンタッチで係合組み立てができるようにするという技術手段を採用した。
【０００６】
【発明の実施の形態】
図１に示すものは、本発明の組み立てる前の状態を示す分解斜視図で、天板、底板の四隅に固設した長短の立ち上げ片に形成した複数個の孔と、左右側板の折り曲げて形成した補強部の四隅に上下４ヶ所の適宜部位に複数個の係止ピンを固設した取付金具を係合するように、左右側板と天板、左右側板と底板を組み立てる挿入時には、係止ピンに衝突しない程度に前後どちらかにずらして行い、挿入し終わったら、係止ピンが孔に係合するように前記ずらした方向と反対方向にずらしてセットすることで組み立てられる組立式箱体である。
【０００７】
【実施例】
以下、本発明の一実施例を添付図面で詳細に説明する。
本発明の箱体としては、収納庫、保管庫、本箱、ロッカー等箱状の種々の箱体に摘要できるものである。
図１に示したものは本発明の具体的な一実施例における組立式収納庫の分解斜視図である。図２は図１におけるＸ矢視断面図、図３は図１におけるＹ矢視図、図４は底板と側板の係合関係を示す一部拡大分解斜視図で、矢印ａ方向のように側板を下方にスライドして嵌合されたら、矢印ｂ方向のように若干ずらすことで取付金具の係止ピンと、立ち上げ片に穿設された孔とが係合し一体化できることを示すものである。図５は図４で示すように係合することで一体化した状態を示す斜視図、図６は図５のＺ矢視断面図である。
【０００８】
先ず、各部材について説明すると、収納庫本体Ａは左右側板１、天板２、底板３及び図示していない後板、扉板からなるものである。そして、天板２の左二隅と底板３の左二隅に設けた長短の立ち上げ片４、５に形成した孔６と、左側板１の前後部に形成した折り曲げ形成した補強部７に設けた取付金具８（図２、図４〜図６参照）の係止ピン９とを係合するように図４の矢印ａで示すように挿入し、図４の矢印ｂで示すようにずらすことで係止ピン９と孔６とを係合し組み立てたものである。
【０００９】
尚、右側板１と天板２、底板３も前記左側板１と同様な構成を有しているので、同様に組み立てられるものである。
【００１０】
次に、天板２と底板３に設けられた長短の立ち上げ片４、５について一実施例を詳細に説明する。
図１、図４〜図６により理解できるように、略Ｕ字形に折り曲げた金属板の一端部に、前後の立ち上げ片４、５を形成し、その前後の立ち上げ片４、５のうち、後部は長い立ち上げ片４、前部は短い立ち上げ片５を形成し、長い立ち上げ片４には上下２ヶ所の孔６を穿設し、短い立ち上げ片５には１ヶ所の孔６を穿設するものである。この長短立ち上げ片４、５を天板２と底板３の四隅に溶接等で固設するものである。
【００１１】
また、図４〜図６に示す通り、左右側板１の前後に形成した折り曲げ補強部７の上下に、略Ω字形の取付金具を溶接等で固設し、この取付金具８に前記長短立ち上げ片４、５に穿設した３ヶ所の孔６と係合する位置に相当するように係止ピン９を固設したもので、図４に示すように挿入嵌合するために、例えば底板３に対して左側板１を上から下に降ろすように底板３の長短立ち上げ片４、５と、左側板１の前後下端に設けた取付金具８が嵌合するように矢印ａのように挿入し、矢印ｂの方向に若干移動して孔６と係止ピン９を係合させて固定するものである。同様に右側板１も組み立てていくものである。このように底板３の四隅と左右側板１の下方４ヶ所と、天板２の四隅と左右側板１の上方４ヶ所とを各々左側板１、右側板１を別々に挿入嵌合し、左右側板１の若干の移動で天板２、底板３に設けた長短立ち上げ片４、５に穿設した孔６と左右側板１に固設した取付金具８の係止ピン９とを係合させることでビス、ネジ、ドライバーなど一切必要なく簡単に収納庫を組み立てることができる。
【００１２】
尚、長短の立ち上げ片４、５は、同一長さの立ち上げ片でも良いし、また、孔６と係止ピン９との数は収納庫本体Ａの左右、前後、上下のねじれ、よじれ作用に対して、規制できるように少なくとも２ヶ以上あれば有効に作用するものである。
【００１３】
さらに、長短立ち上げ片４、５は天板２、底板３の一部を切り越して形成することも可能であり、取付金具８も補強部７を切り越して形成しても良いが、製作上、別個の部品として製作する方が効率的であることはいうまでもない。
【００１４】
また、左右側板１に形成した係合孔１０と、底板３、天板２に形成した切り起し片１１は、最終的に組み立てられた際に、左右側板１と天板２、底板３の係止状態を補完するために設けられたものである。
【００１５】
尚、本体の大きさに応じては、立ち上げ片を１枚にすることも可能である。
さらに、係止ピン９と孔６の関係を逆にして、係止ピン９は長短立ち上げ片４、５に設け、孔６を取付金具８に穿設することも可能である。また、係合孔１０と切り起し片１１の関係を逆にして、係合孔１０を底板３に穿設し、切り起し片１１を左右側板１に形成することも可能であるし、係止状態を保てる形状であれば、どのような形でも良い。
【００１６】
【発明の効果】
本発明は、以上の構成を採用した結果、次のような効果を得ることができる。
（１）だれでも特別な部品や工具を使うことなく、簡単に組み立てられる構造である。
【図面の簡単な説明】
【図１】  本発明の収納庫を示す分解斜視図である。
【図２】  図１におけるＸ矢視断面図である。
【図３】  図１におけるＹ矢視図である。
【図４】  本発明の収納庫底板と側板の係合関係を示す一部拡大分解斜視図である。
【図５】  図４で示すように係合して一体化した状態の一部を示す斜視図である。
【図６】  図５のＺ矢視断面図である。
【符号の説明】
１・・・・左右側板                        ２・・・・天板
３・・・・底板                            ４・・・・長い立ち上げ片
５・・・・短い立ち上げ片                  ６・・・・孔
７・・・・補強部                          ８・・・・取付金具
９・・・・係止ピン                      １０・・・・係合孔
１１・・・・切り起し片
Ａ・・・・収納庫本体
【図１】
0004827337.tif 000002
【図２】
0004827337.tif 000003
【図３】
0004827337.tif 000004
【図４】
0004827337.tif 000005
【図５】
0004827337.tif 000006
【図６】
0004827337.tif 000007